(57)【特許請求の範囲】
【請求項１】
第１のリードイン領域と第１のデータ領域と第１のリードアウト領域とから構成される第１の記録領域と、
第２のリードイン領域と第２のデータ領域と第２のリードアウト領域とから構成され、上記第１の記録領域に記録されているデータに付されたアドレスデータとは別のアドレスデータが付されたデータが記録される第２の記録領域と、
上記第２の記録領域に記録され、上記第１の記録領域と上記第２の記録領域とを識別するための識別データとを備え、
上記第１及び第２の記録領域に記録されるデータに付されるアドレスデータは時間データであり、
上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、
上記識別データは、上記第２の記録領域に記録されるデータに付される時間データの最も大きな時間データよりも大きな時間データである記録媒体。
【請求項２】
上記第２の記録領域に記録されるデータは、上記第１の記録領域に記録されるフォーマットとは異なるフォーマットで記録される請求項１記載の記録媒体。
【請求項３】
上記第１の記録領域にはデータと上記アドレスデータとしてのサブコードデータとが記録されるとともに、上記第２の記録領域にはデータと上記アドレスデータとしてのサブコードデータとが記録され、上記第２の記録領域に記録されるサブコードデータに上記識別データが含まれている請求項１記載の記録媒体。
【請求項４】
第１のリードイン領域と第１のデータ領域と第１のリードアウト領域とから構成され、第１のフォーマットでデータが記録される第１の記録領域と、第２のリードイン領域と第２のデータ領域と第２のリードアウト領域とから構成され、上記第１のフォーマットと異なる第２のフォーマットでデータが記録され、上記第１のフォーマットのデータに付されたアドレスデータとは別のアドレスデータが付されたデータが記録される第２の記録領域と、上記第２の記録領域に記録され、上記第１の記録領域と上記第２の記録領域とを識別するための識別データとを備え、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データである記録媒体からデータを読み出すヘッド部と、
上記ヘッド部によって上記記録媒体から読み出されたデータから上記識別データを抽出する抽出部と、
上記ヘッド部によって上記第１の記録領域から読み出されたデータのデコードを行う第１の記録領域から読み出されたデータのデコードを行う第１のデコーダと、
上記ヘッド部によって上記第２の記録領域から読み出されたデータのデコードを行う第２のデコーダと、
上記抽出部によって抽出された上記識別データが上記第２の記録領域であることを示しているときには、上記ヘッド部によって上記記録媒体から読み出されたデータを上記第２のデコーダに供給する切り換え制御部とを備えている記録媒体の再生装置。
【請求項５】
上記切り換え制御部は、上記ヘッド部によって上記記録媒体から読み出されたデータを上記第１のデコーダと上記第２のデコーダに選択的に供給する切換部と、
上記抽出部によって上記識別データが上記第２の記録領域であることを示しているときには、上記切換部を上記抽出部によって抽出された上記識別データの判別結果に基づいて上記第２のデコーダに上記ヘッド部によって上記記録媒体から読み出されたデータを供給するように切り換える制御部とを備えている請求項４記載の記録媒体の再生装置。
【請求項６】
上記記録媒体の上記第１の記録領域にはデータと上記アドレスデータとしてのサブコードデータとが記録されるとともに、上記第２の記録領域にはデータと上記アドレスデータとしてのサブコードデータとが記録され、
上記第２の記録領域に記録されるサブコードデータに上記識別データが含まれており、
上記抽出部は上記記録媒体から読み出されたデータから上記サブコードデータを抽出する請求項４記載の記録媒体の再生装置。
【請求項７】
第１のリードイン領域と第１のデータ領域と第１のリードアウト領域とから構成され、第１のフォーマットでデータが記録される第１の記録領域と、第２のリードイン領域と第２のデータ領域と第２のリードアウト領域とから構成され、上記第１のフォーマットと異なる第２のフォーマットでデータが記録され、上記第１の記録領域に記録されたデータに付されたアドレスデータとは別のアドレスデータが付されたデータが記録される第２の記録領域と、上記第２の記録領域に記録され、上記第１の記録領域と上記第２の記録領域とを識別するための識別データとを備え、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データである記録媒体からデータを読み出し、
上記記録媒体から読み出されたデータから上記識別データに基づいて上記第１の記録領域から読み出されたデータのデコードを行う第１のデコーダと上記第２の記録領域から読み出されたデータのデコードを行う第２のデコーダとのいずれかのデコーダに上記記録媒体から読み出されたデータを供給する記録媒体の再生方法。
【請求項８】
上記方法は、上記識別データが抽出されたときには、上記記録媒体から読み出されたデータを上記第２のデコーダに供給する請求項７記載の記録媒体の再生方法。
【請求項９】
上記記録媒体の上記第１の記録領域にはデータと上記アドレスデータとしてのサブコードデータとが記録されるとともに、上記第２の記録領域にはデータと上記アドレスデータとしてのサブコードデータとが記録され、上記第２の記録領域に記録されるサブコードデータに上記識別データが記録され、
上記方法は、上記記録媒体から読み出されたデータから上記サブコードデータを抽出し、上記抽出されたサブコードデータに含まれている上記識別データを判別することによって上記第１のデコーダと上記第２のデコーダとのいずれかのデコーダに上記記録媒体から読み出されたデータの供給を切り換える請求項７記載の記録媒体の再生方法。
【請求項１０】
レーザ光源と、
供給されたデータから第１のフォーマットに従うデータを発生する第１のデータ発生部と、
供給されたデータから上記第１のフォーマットとは異なる第２のフォーマットに従うデータと識別データとを発生する第２のデータ発生部と、
上記第１のデータ発生部からの出力データと上記第２のデータ発生部からの出力データとのいずかの出力データに基づいて上記レーザ光源からのレーザ光を変調する変調部と、
上記変調部によって変調されたレーザ光を記録媒体上に集光する対物レンズを有するヘッド部とを備え、
上記記録媒体には、上記第１のデータ発生部からの出力データに基づいて、上記記録媒体上に第１のリードイン領域と第１のデータ領域と第１のリードアウト領域とを有する第１の記録領域が形成され、上記第２のデータ発生部からの出力データに基づいて、上記記録媒体上に第２のリードイン領域と第２のデータ領域と第２のリードアウト領域とを有する第２の記録領域が形成され、
上記第１のデータ発生部から発生されるデータには第１のアドレスデータが付されており、上記第２のデータ発生部から発生されるデータには上記第１のアドレスデータとは別の第２のアドレスデータが付され、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データである記録媒体の記録装置。
【請求項１１】
上記第１のデータ発生部は、上記第１のフォーマットに基づくデータとサブコードデータを発生し、上記第２のデータ発生部は、上記第２のフォーマットに基づくデータとサブコードデータを発生し、上記識別データは上記第２のデータ発生部から発生されるサブコードデータに含まれている請求項１０記載の記録媒体の記録装置。
【請求項１２】
上記装置は、更に上記第１のデータ発生部からの出力データと上記第２のデータ発生部からの出力データとを選択的に上記変調部に供給する切り換え制御部を備えている請求項１０記載の記録媒体の記録装置。
【請求項１３】
供給されたデータから第１のフォーマットに従う第１のデータを発生し、
供給されたデータから上記第１のフォーマットとは異なる第２のフォーマットに従う第２のデータと識別データとを発生し、
上記第１のデータと上記第２のデータとのいずかの出力データに基づいてレーザ光源からのレーザ光を変調し、
上記変調されたレーザ光を対物レンズによって記録媒体上に集光し、
上記記録媒体に上記第１のデータに基づいて、上記記録媒体上に第１のリードイン領域と第１のデータ領域と第１のリードアウト領域とを有する第１の記録領域を形成し、上記第２のデータに基づいて、上記記録媒体上に第２のリードイン領域と第２のデータ領域と第２のリードアウト領域とを有する第２の記録領域を形成し、
第１のデータには、第１のアドレスデータが付されており、上記第２のデータには上記第１のアドレスデータとは別の第２のアドレスデータが付され、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データである記録媒体の記録方法。
【請求項１４】
上記方法は、上記第１のデータとともに第１のサブコードデータを発生させ、且つ上記第２のデータとともに第２のサブコードデータを発生し、上記識別データは上記第２のサブコードデータに含まれている請求項１３記載の記録媒体の記録方法。
【発明の詳細な説明】
【０００１】
技術分野
本発明は、複数の記録領域が設けられたデータ記録媒体、このデータ記録媒体にデータの記録を行うデータ記録装置及び方法、並びにこのデータ記録装置及び方法によりデータが記録されたデータ記録媒体のデータ再生装置及び方法に関する。
【０００２】
背景技術
従来、リードイン領域、プログラム領域、リードアウト領域とからなるセッションが複数設けられたマルチセッション型の光ディスクには、複数のセッションにまたがって連続するアドレスが設けられているものがある。他のマルチセッション型の光ディスクには、各セッション毎に完結するアドレスが設けられたものがある。
【０００３】
しかしながら、複数の各セッションにまたがって連結するアドレスが設けられた光ディスクは、オーサリングの際、各セッション間でアドレスが連結するように最終的にアドレスを合わせる必要があり、この作業は、極めて面倒なものであった。各セッション毎に完結するアドレスを用いる場合には、光ディスクの再生時に光ディスクから読み出されたアドレスデータがいずれのセッションでも同じになってしまい、いずれの光ディスクから読み出されたアドレスデータからでは識別できなくなってしまう可能性がある。
【０００４】
例えば、特開平１１−２１３５６２号公報には、内周側のセッションに、所謂コンパクトディスクと同じフォーマットでデータを記録し、外周側のセッションに、内周側のセッションより高い記録密度でデータを記録した光ディスクが開示されている。この光ディスクは、外周側のセッションのプログラム領域が、内周側のセッションのリードアウト領域に連続してアドレスが付され、外周側のセッションのリードイン領域を内周側のセッションで使用しない時間情報に基づくアドレスを用いるようにしている。
【０００５】
この光ディスクは、外周側のセッションのプログラム領域が内周側のセッションのリードアウト領域に連続してアドレスが付されていることから、現在いずれのセッションを再生しているかを識別することが困難となってしまう。
【０００６】
仮に、内周側のセッションも、高い記録密度でデータが記録された外周側のセッションと同じフォーマット、即ち内外周の全領域に高い記録密度でデータが記録されたシングルセッションの光ディスクがある場合に、再生装置で、このシングルセッションの光ディスクと、上述した内周側のセッションとこの内周側のセッションの記録密度より高い記録密度の外周側セッションとを有する光ディスクとを、光ディスクから読み出されたアドレスデータをもとに識別することができない。
【０００７】
発明の開示
本発明の目的は、各セッションを独立してアドレッシングすることでオーサリングをセッション毎に行うことができるようにしながら、再生時いずれのセッションを再生しているかを識別することができるデータ記録媒体を提供することにある。
【０００８】
本発明の他の目的は、データ記録媒体に、各セッションを独立してアドレッシングすることでオーサリングをセッション毎に行うことができるようにしながら、再生時どのセッションを再生しているかを識別することができるようにデータを記録することができるデータ記録装置及び方法を提供することにある。
【０００９】
本発明の更に他の目的は、オーサリングを独立して行うことができるように、セッション毎に独立してアドレッシングがされたデータ記録媒体を、再生時に、識別データの有無を検出することで、どのセッションを再生しているかを識別することができるデータ再生装置及び方法を提供することにある。
【００１０】
上述したような目的を達成するために提案される本発明に係る記録媒体は、第１のリードイン領域と第１のデータ領域と第１のリードアウト領域とから構成される第１の記録領域と、第２のリードイン領域と第２のデータ領域と第２のリードアウト領域とから構成され、上記第１の記録領域に記録されているデータに付されたアドレスデータとは別のアドレスデータが付されたデータが記録される第２の記録領域と、上記第２の記録領域に記録され、上記第１の記録領域と上記第２の記録領域とを識別するための識別データとを備え、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データとなっている。
【００１１】
本発明に係る記録媒体の再生装置は、第１のリードイン領域と第１のデータ領域と第１のリードアウト領域とから構成され、第１のフォーマットでデータが記録される第１の記録領域と、第２のリードイン領域と第２のデータ領域と第２のリードアウト領域とから構成され、上記第１のフォーマットと異なる第２のフォーマットでデータが記録され、上記第１のフォーマットのデータに付されたアドレスデータとは別のアドレスデータが付されたデータが記録される第２の記録領域と、上記第２の記録領域に記録され、上記第１の記録領域と上記第２の記録領域とを識別するための識別データとを備え、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データである記録媒体からデータを読み出すヘッド部と、上記ヘッド部によって上記記録媒体から読み出されたデータから上記識別データを抽出する抽出部と、上記ヘッド部によって上記第１の記録領域から読み出されたデータのデコードを行う第１の記録領域から読み出されたデータのデコードを行う第１のデコーダと、上記ヘッド部によって上記第２の記録領域から読み出されたデータのデコードを行う第２のデコーダと、上記抽出部によって抽出された上記識別データが上記第２の記録領域であることを示しているときには、上記ヘッド部によって上記記録媒体から読み出されたデータを上記第２のデコーダに供給する切り換え制御部とを備えている。
【００１２】
本発明に係る記録媒体の再生方法は、第１のリードイン領域と第１のデータ領域と第１のリードアウト領域とから構成され、第１のフォーマットでデータが記録される第１の記録領域と、第２のリードイン領域と第２のデータ領域と第２のリードアウト領域とから構成され、上記第１のフォーマットと異なる第２のフォーマットでデータが記録され、上記第１の記録領域に記録されたデータに付されたアドレスデータとは異なるアドレスデータが付されたデータが記録される第２の記録領域と、上記第２の記録領域に記録され、上記第１の記録領域と上記第２の記録領域とを識別するための識別データとを備え、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データである記録媒体からデータを読み出し、上記記録媒体から読み出されたデータから上記識別データに基づいて上記第１の記録領域から読み出されたデータのデコードを行う第１のデコーダと上記第２の記録領域から読み出されたデータのデコードを行う第２のデコーダとのいずれかのデコーダに上記記録媒体から読み出されたデータを供給する。
【００１３】
本発明に係る記録媒体の記録装置は、レーザ光源と、供給されたデータから第１のフォーマットに従うデータを発生する第１のデータ発生部と、供給されたデータから上記第１のフォーマットとは異なる第２のフォーマットに従うデータと識別データとを発生する第２のデータ発生部と、上記第１のデータ発生部からの出力データと上記第２のデータ発生部からの出力データとのいずかの出力データに基づいて上記レーザ光源からのレーザ光を変調する変調部と、上記変調部によって変調されたレーザ光を記録媒体上に集光する対物レンズを有するヘッド部とを備え、上記記録媒体には、上記第１のデータ発生部からの出力データに基づいて、上記記録媒体上に第１のリードイン領域と第１のデータ領域と第１のリードアウト領域とを有する第１の記録領域が形成され、上記第２のデータ発生部からの出力データに基づいて、上記記録媒体上に第２のリードイン領域と第２のデータ領域と第２のリードアウト領域とを有する第２の記録領域が形成され、上記第１のデータ発生部から発生されるデータには第１のアドレスデータが付されており、上記第２のデータ発生部から発生されるデータには上記第１のアドレスデータとは別の第２のアドレスデータが付され、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データとなっている。
【００１４】
本発明に係る記録媒体の記録方法は、供給されたデータから第１のフォーマットに従う第１のデータを発生し、供給されたデータから上記第１のフォーマットとは異なる第２のフォーマットに従う第２のデータと識別データとを発生し、上記第１のデータと上記第２のデータとのいずかの出力データに基づいてレーザ光源からのレーザ光を変調し、上記変調されたレーザ光を対物レンズによって記録媒体上に集光し、上記記録媒体に上記第１のデータに基づいて、上記記録媒体上に第１のリードイン領域と第１のデータ領域と第１のリードアウト領域とを有する第１の記録領域を形成し、上記第２のデータに基づいて、上記記録媒体上に第２のリードイン領域と第２のデータ領域と第２のリードアウト領域とを有する第２の記録領域を形成し、第１のデータには、第１のアドレスデータが付されており、上記第２のデータには上記第１のアドレスデータとは別の第２のアドレスデータが付され、上記第１及び第２の記録領域に記録されるデータに付されるアドレスデータは時間データであり、上記第１の記録領域に記録されるデータに付されるアドレスデータは、上記第１のデータ領域の先頭位置からゼロで始まり、上記第２の記録領域に記録されるデータに付されるアドレスデータは、上記第２のリードイン領域の先頭位置からゼロ又はオフセットされた時間から始まり、上記識別データは、上記第２の記録領域に記録されるデータに付される時間データの最も大きな時間データよりも大きな時間データとなっている。
【００１５】
本発明の更に他の目的、本発明によって得られる具体的な利点は、以下において図面を参照して説明される実施の形態の説明から一層明らかにされるであろう。
【００１６】
発明を実施するための最良の形態
以下、本発明が適用された光ディスク、データ記録装置及び方法並びにデータ再生装置及び再生方法について、図面を参照して説明する。
【００１７】
先ず、図１を参照して、本発明が適用された光ディスク１について説明すると、この光ディスク１は、直径を略１２ｃｍとする再生専用型の光ディスクであり、内周側に、所謂コンパクトディスクと同じフォーマットでデータが記録される第１の記録領域としての第１のセッション２が設けられ、この第１のセッション２の外周側に、ミラー面で構成された非信号記録領域３を介して、第２の記録領域としての第２のセッション４が設けられている。
【００１８】
第１のセッション２は、所謂コンパクトディスクと同じフォーマットでデータが記録される領域であり、後述する第１のセッション２のデータ領域に記録されるデータのＴＯＣ（Table of Contents）データ等が記録されるリードイン領域２ａと、リードイン領域２ａに次いでその外周側に設けられ、楽曲データ、コンピュータプログラム等のディジタルデータが記録されるデータ領域２ｂと、このデータ領域２ｂに次いでその外周側に設けられるリードアウト領域２ｃとから構成されている。このリードイン領域２ａには、第１のセッション２以外に第２のセッション４があることを示す識別データと、第２のセッション４の開始位置又は先頭位置を示すアドレスデータがＴＯＣデータの一部として記録されている。
【００１９】
第２のセッション４は、第１のセッション２より高い記録密度、例えば２倍の記録密度でディジタルデータが記録される領域であり、後述する第２のセッション４のデータ領域に記録されるデータのＴＯＣデータ等が記録されるリードイン領域４ａと、リードイン領域４ａに次いで設けられ、楽曲データ、コンピュータプログラム等のデータを暗号化したディジタルデータが記録されるデータ領域４ｂと、このデータ領域４ｂに次いでその外周側に設けられるリードアウト領域４ｃとから構成されている。第２のセッション４のデータ領域４ｂの内周側でリードイン領域４ａの外周側には、暗号化されてデータ領域４ｂに記録されているデータを解読するための暗号解読鍵等が記録される鍵記録領域４ｄが設けられている。
【００２０】
以上のように構成された光ディスク１では、例えば第２のセッション４に、コンテンツデータを記録しておき、第１のセッション２に、第２のセッション４に記録されているコンテンツデータの広告データ等コンテンツデータに関連するデータを記録しておくようにする。これによって、第２のセッション４のフォーマットを再生する機能を有する再生装置でのみ、コンテンツデータを再生することができるようにする。一方、第１のセッション２のフォーマットの再生機能のみを有する再生装置でこの光ディスク１を再生しようとしたときには、第１のセッション２に記録された広告データ等のみが再生され、第２のセッション４に記録されたコンテンツデータを再生することはできない。後述するように、第２のセッション４の記録密度は、第１のセッション２の記録密度よりも高い記録密度、例えば２倍の記録密度でデータが記録されている。例えば、第２のセッション４は、第１のセッション２のトラックピッチ、１．６μｍよりも狭いトラックピッチで記録トラックが形成され、エラー訂正符号も第１のセッション２エラー訂正符号とは異なる符号を用いて記録密度を上げている。
【００２１】
ここで、第１のセッション２のリードイン領域２ａに記録されるＱチャンネルのサブコードデータのデータ構造について図２を参照して説明する。このＱチャンネルのサブコードデータには、楽章番号ＴＮＯと、ＰＯＩＮＴと、楽章内の経過時間ＴＩＭＥと、ゼロと、ＰＯＩＮＴの内容の絶対時間ＰＴＩＭＥに関する各々のデータ部が格納されている。楽章内の経過時間ＴＩＭＥに関するデータ部は、００〜７４の分ＭＩＮに関するデータ部と、００〜５９の秒のＳＥＣに関するデータ部と、００〜７４のフレーム番号ＦＲＡＭＥに関するデータ部とで表現される。ＰＯＩＮＴの内容の絶対時間ＰＴＩＭＥに関するデータ部は、００〜７４の分ＰＭＩＮに関するデータ部と、００〜５９の秒ＰＳＥＣに関するデータ部と、００〜７４のフレーム番号ＰＦＲＡＭＥに関するデータ部とで表現される。Ｑチャンネルのサブコードデータの各々のデータ部には、８ビットずつのデータが割り当てられ、ＢＣＤを用いて表現され、全体で７２ビットのデータである。
【００２２】
例えば、ＰＯＩＮＴに関するデータ部が００〜９９までのとき、絶対時間ＰＴＩＭＥに関するデータ部には、各楽章の開始位置を示す絶対時間に関するデータが記録され、ＰＯＩＮＴに関するデータ部がＡ０のとき、絶対時間ＰＴＩＭＥに関するデータ部の分ＰＭＩＮに関するデータ部には、最初の楽章番号に関するデータが記録され、秒ＰＳＥＣに関するデータ部とＰＦＲＡＭに関する各データ部にはゼロが記録される。ＰＯＩＮＴに関するデータ部がＡ１のとき、絶対時間ＰＴＩＭＥに関するデータ部のＰＭＩＮに関するデータ部には、最後の楽章番号に関するデータが記録され、ＰＳＥＣとＰＦＲＡＭに関する各データ部には、ゼロが記録される。更に、ＰＯＩＮＴに関するデータ部がＡ２のとき、絶対時間ＰＴＩＭＥに関するデータ部のＰＭＩＮ、ＰＳＥＣ、ＰＦＲＡＭに関する各データ部には、リードアウト領域２ｃが始まる絶対時間に関するデータが記録される。経過時間ＴＩＭＥに関するデータ部には、コンパクトディスクに記録できる最大の記録時間を示す９９分５９秒７４フレームで終わるようにアドレスデータが記録されている。
第１のセッション２のデータ領域２ｂ及びリードアウト領域２ｃに記録されるＱチャンネルのサブコードデータのデータ構造について図３を参照して説明する。Ｑチャンネルのサブコードデータには、楽章番号ＴＮＯと、インデックスＸと、楽章内の経過時間ＴＩＭＥと、ゼロと、絶対時間ＡＴＩＭＥに関する各データ部が格納されている。楽章内の経過時間ＴＩＭＥに関するデータ部は、００〜７４の分ＭＩＮに関するデータ部と、００〜５９の秒ＳＥＣに関するデータ部と、００〜７４のフレーム番号ＦＲＡＭＥに関するデータ部とで表現される。絶対時間ＡＴＩＭＥに関するデータ部は、００〜７４の分ＡＭＩＮに関するデータ部と、００〜５９の秒ＡＳＥＣに関するデータ部と、００〜７４のフレーム番号ＡＦＲＡＭＥに関するデータ部とで表現される。領域２ｂ，２ｃのＱチャンネルのサブコードは各データ部に各々８ビットずつ割り当てられ、ＢＣＤを用いて表現され、全体で７２ビット（ｂｉｔ）のデータである。
【００２３】
曲番号ＴＮＯに関するデータ部は、００のときリードイン領域であることを示し、０１〜９９であるとき、楽章等の番号を示し、ＡＡのとき、リードアウト領域であることを示す。インデックスＸに関するデータ部は、００のときポーズを示し、００〜９９であるとき楽章等を更に細分化したときの番号を示している。楽章内の経過時間ＴＩＭＥに関するデータ部は、各楽章の始まるところ、即ち各楽章の先頭位置に対応するゼロから始まる。絶対時間ＡＴＩＭＥに関するデータ部は、データ領域２ｂの先頭部分に対応するゼロから始まり、順次インクリメントされる。
【００２４】
第２のセッション４は、以上説明したような第１のセッション２とは別のアドレスデータが付与されている。第２のセッション４のリードイン領域４ａに記録されるＱチャンネルのサブコードデータのデータ構造について図４を参照して説明する。このＱチャンネルサブコードデータには、楽章番号ＴＮＯと、ＰＯＩＮＴと、楽章内の経過時間ＴＩＭＥと、ＰＯＩＮＴの内容の絶対時間ＰＴＩＭＥとに関する各々のデータ部が格納されている。楽章内の経過時間ＴＩＭＥに関するデータ部は、００〜１５の時間ＨＯＵＲに関するデータ部と、００〜５９の分ＭＩＮに関するデータ部と、００〜５９の秒ＳＥＣに関するデータ部と、００〜７４のフレーム番号ＦＲＡＭＥに関するデータ部とで表現される。ＰＯＩＮＴの内容の絶対時間ＰＴＩＭＥに関するデータ部は、００〜１５の時間ＰＨＯＵＲに関するデータ部と、００〜５９の分ＰＭＩＮに関するデータ部と、００〜５９の秒ＰＳＥＣに関するデータ部と、００〜７４のフレーム番号ＰＦＲＡＭＥに関するデータ部とで表現される。
【００２５】
即ち、Ｑチャンネルサブコードデータは、第１のセッション２のＱチャンネルのサブコードデータと比べて、ゼロに関するデータ部の領域がなく、このゼロに関するデータ部に割り当てられていた８ビットの上位４ビットに、楽章内の経過時間の００〜１５の時間ＨＯＵＲに関するデータ部に新たに割り当てられ、下位４ビットに、ＰＯＩＮＴの内容の絶対時間の００〜１５の時間ＰＨＯＵＲに関するデータ部が新たに割り当てられている。これは、第２のセッション４は、記録密度が第１のセッション２より高い記録密度、例えば２倍の記録密度とされているためであり、その結果、アドレスデータとしての時間情報として、時間を示すアドレスデータを必要とするためである。分ＭＩＮと分ＰＭＩＮに関するデータ部は、上述したように新たに時間ＨＯＵＲと時間ＰＨＯＵＲとが設けられたので、第１のセッション２のＱチャンネルのサブコードデータの００〜７４から００〜５９に変更されている。なお、第２のセッション４のリードイン領域４ａに記録されるＱチャンネルのサブコードデータは、上述した点を除き図２に示す第１のセッション２のリードイン領域２ａに記録されるＱチャンネルのサブコードデータと同様であるため、その他の部分の説明は省略する。
【００２６】
第２のセッション４のデータ領域４ｂ及びリードアウト領域４ｃに記録されるＱチャンネルのサブコードデータのデータ構造について図５を参照して説明する。このＱチャンネルのサブコードデータには、楽章番号ＴＮＯと、インデックスＸと、楽章内の経過時間ＴＩＭＥと、絶対時間ＡＴＩＭＥとに関する各々のデータ部が格納されている。楽章内の経過時間ＴＩＭＥに関するデータ部は、００〜１５の時間ＨＯＵＲに関するデータ部と、００〜５９の分ＭＩＮに関するデータ部と、００〜５９の秒のＳＥＣに関するデータ部と、００〜７４のフレーム番号ＦＲＡＭＥに関するデータ部とで表現される。絶対時間ＡＴＩＭＥに関するデータ部は、００〜１５の時間ＡＨＯＵＲに関するデータ部と、００〜５９の分ＡＭＩＮに関するデータ部と、００〜５９の秒ＡＳＥＣに関するデータ部と、００〜７４のフレーム番号ＡＦＲＡＭＥに関するデータ部とで表現される。
【００２７】
即ち、このＱチャンネルのサブコードデータは、図２に示す第１のセッション２のＱチャンネルサブコードデータと比べて、ゼロデータの領域がなく、このゼロデータに割り当てられていた８ビットデータのうちの上位４ビットに、楽章内の経過時間の００〜１５の時間ＨＯＵＲに関するデータが新たに割り当てられ、下位４ビットに、絶対時間の００〜１５の時間ＡＨＯＵＲに関するデータが新たに割り当てられる。これは、前述したように第２のセッション４は、記録密度が第１のセッション２の記録密度より高い記録密度、例えば２倍の記録密度とされているため、アドレスデータとしての時間情報として、時間に関するアドレスデータが必要とされるためである。分ＭＩＮと分ＡＭＩＮは、時間ＨＯＵＲと時間ＡＨＯＵＲに関するデータ部が各々設けられたことから、第１のセッション２のＱチャンネルのサブコードデータの００〜７４から００〜５９に変更されている。第２のセッション４のデータ領域４ｂ及びリードアウト領域４ｃに記録されるＱチャンネルのサブコードデータは、以上のように説明した点を除き図３に示す第１のセッション２のデータ領域２ｂ及びリードアウト領域２ｃに記録されるＱチャンネルのサブコードデータと同様であるため、その他の部分の説明は省略する。
【００２８】
ところで、所謂コンパクトディスクのサブコードデータは、図２及び図３のように構成されており、そのアドレスデータは、図６に示すように、リードイン領域のアドレスデータとしての経過時間ＴＩＭＥが、コンパクトディスクの規格の最大値である９９分５９秒７４フレームで終了するようにリードイン領域の内周側から順次アドレスデータが増大するように付与されている。コンパクトディスクのデータ領域では、データ領域の絶対時間ＡＴＩＭＥ、即ちアドレスデータがデータ領域の内周側から順次増大するように、例えば０分からスタートして最大８０分となるように付与されている。
【００２９】
なお、アドレスデータは、リードイン領域の最内周に記録されたＴＯＣのデータを光ピックアップによって確実に読み出し得るようにするため、リードイン領域に繰り返し複数記録されている。時間情報として記録されるアドレスデータは、繰り返し分だけオフセットされている。
【００３０】
全記録領域が上述した第２のセッション４と同じ高い記録密度、即ち２倍の記録密度でデータが記録されたシングルセッションの光ディスクのサブコードデータは、上述した第２のセッション４と同様に図４及び図５に示すように構成されており、そのアドレスデータは、図７に示すように、リードイン領域から連続するアドレス情報としてリードイン領域の経過時間ＴＩＭＥやデータ領域、リードアウト領域の絶対時間ＡＴＩＭＥ、即ちアドレスデータに付与されている。即ち、この光ディスクでは、コンパクトディスクのように、リードイン領域の開始アドレス情報をデータの記録領域を０分から始めるためにマイナスアドレスとすることなく、リードイン領域から外周側に向かって順に増加するアドレスデータが用いられる。
【００３１】
第１のセッション２にコンパクトディスクのフォーマットでデータを記録し、第２のセッション４に第１のセッション２よりも高い記録密度、例えば２倍の記録密度となるようなフォーマットでデータを記録する光ディスク１では、図８に示すように、内周側の第１のセッション２のリードイン領域２ａのアドレスデータである経過時間ＴＩＭＥがコンパクトディスクの規格の最大値である９９分５９秒７４フレームで終了するようにリードイン領域２ａの内周側から順次増大するように付与されている。光ディスク１は、第１のセッション２のデータ領域２ｂ及びリードアウト領域２ｃのアドレスデータとしての絶対時間ＡＴＩＭＥがデータ領域２ｂの内周側から順次増大するように、例えばデータ領域が０分となるアドレス情報からスタートするように付与されている。即ち、光ディスク１の第１のセッション２は、コンパクトディスクと同様にアドレスデータが付与されている。
【００３２】
光ディスク１の第２のセッション４は、アドレス情報としてリードイン領域４ａから連続するようにリードイン領域４ａのアドレスデータとしての経過時間ＴＩＭＥやデータ領域４ｂのアドレスデータとしての絶対時間ＡＴＩＭＥが付与されている。即ち、光ディスク１の第２のセッション４は、図７に示したように、全記録領域に第１のセッション２の記録密度より高い記録密度、例えば２倍の記録密度でデータが記録されたシングルセッションの光ディスクと同じようにアドレスデータが付与されている。
【００３３】
なお、時間情報として記録されるアドレスデータは、図７に示すシングルセッションの光ディスクとの整合を図るため、リードイン領域４ａに繰り返し複数記録され、繰り返し分だけオフセットされている。
【００３４】
以上のように、光ディスク１は、第１のセッション２と第２のセッション４とで別々にアドレスデータを付与するようにしている。このため、光ディスク１では、オーサリングの作業を容易に行うことができる。
【００３５】
図４に示す第２のセッション４のリードイン領域４ａのＱチャンネルサブコードデータの時間ＨＯＵＲ、時間ＰＨＯＵＲに関するデータ部、図５に示すデータ領域４ｂ及びリードアウト領域４ｃの時間ＨＯＵＲ、時間ＡＨＯＵＲに関するデータ部の少なくとも何れか一には、第１のセッション２と第２のセッション４とを識別する識別データが記録されている。この識別データには、第２のセッション４の最大記録可能時間より大きい時間を示すアドレスデータ、即ち時間を示すデータが用いられる。例えば、第２のセッション４は、アドレスデータとしての時間情報が通常２時間３０分前後で最大で３時間までとすると、図４に示す第２のセッション４のリードイン領域４ａのＱチャンネルサブコードデータの時間ＨＯＵＲ、時間ＰＨＯＵＲに関するデータ部、図５に示すデータ領域４ｂ及びリードアウト領域４ｃの時間ＨＯＵＲ、時間ＡＨＯＵＲに関するデータ部の少なくとも何れか一に、図９に示すように、４時間であることを示す時間データ、即ち２ビット目に「１」を記録する。したがって、光ディスク１は、再生中に、識別データとしてのこの４時間であることを示す時間データを再生装置で検出することができ、この時間データの検出結果に基づいて現在第１のセッション１を再生しているか第２のセッション４を再生しているかを容易に検出することができる。
【００３６】
なお、この識別データ、即ち４時間を示す時間情報を用いることによってコンパクトディスクとの識別や全記録領域を第２のセッション４と同じ記録密度でデータを記録したシングルセッションの光ディスクとの識別に用いることもできる。
【００３７】
以上のように構成された光ディスク１は、アドレスデータを、第１のセッション２と第２のセッション４とで独立に付与するようにすることでオーサリングを容易に行うことができるようにし、第２のセッション４のアドレス情報に識別データを付加することで、再生装置での再生中に現在再生しているセッションが第１のセッション２であるか、それとも第２のセッション４であるかを識別することができる。
【００３８】
次に、以上のような光ディスク１の製造方法について説明する。この光ディスク１を製造するには、先ず、レジスト塗布工程において、ガラス原盤にフォトレジストを塗布し、次いで、カッティング工程において、記録すべきデータに基づいて変調されたレーザ光によりフォトレジストを露光することによって記録すべき潜像として凹凸のピットパターンをカッティングする。次いで、ピットパターンがカッティングされたガラス原盤は、フォトレジストの現像及び定着工程において、現像処理が施されて定着処理が行われる。その結果、ガラス原盤にはカッティングによって形成された潜像に基づいて凹凸パターンが現れる。この後、金属原盤作製工程において、ガラス原盤の表面には、無電解メッキが施されてマザー盤である金属原盤が作製される。次に、スタンパ作製工程において、金属原盤を元にしてスタンパが製造される。基板形成工程において、前工程で製造されたスタンパを射出成形金型内に取り付けられた射出成型機にポリカーボネートやアクリル等の光透過性を有する合成樹脂を充填し、射出成形することによってディスク基板が形成される。以上のような工程を経て作製されたディスク基板の一方の面には、スタンパの凹凸パターン、即ちカッティング工程でガラス原盤に形成されたピットパターンが転写される。次いで、反射膜形成工程において、ディスク基板の凹凸のピットパターンが形成された面に、アルミニウム等の金属をスパッタリング等の手法を用いて成膜することにより反射膜が形成される。保護膜塗布工程において、反射膜上に、紫外線硬化型樹脂を薄膜となるように塗布した後、紫外線を照射して紫外線硬化型樹脂を硬化させることによって保護膜が形成される。このように形成された光ディスク１は、保護膜が形成されていないディスク基板側の面から光ビームが照射されることによりデータの読み取り又は読み出しが行われる。
【００３９】
なお、ここで製造される光ディスク１は、ディスク基板の凹凸パターンが転写された面が信号記録面となる。
【００４０】
ここで、カッティング工程において、記録すべきデータに応じた凹凸のピットパターンをカッティングしカッティング装置１０について、図１０を参照して説明する。このカッティング装置１０は、第１のセッション２用のサブコードデータを発生する第１のサブコード発生部１１と、第１のセッション２用のコンテンツデータとサブコードデータとを加算し記録すべきデータを発生する第１のデータ発生部１２と、第２のセッション４用のサブコードデータを発生する第２のサブコード発生部１３と、第２のセッション４用のコンテンツデータとサブコードデータとを加算し記録すべきデータを発生する第２のデータ発生部１４と、第１のデータ発生部１２と第２のデータ発生部１４との出力を切り換える切換部１５とを備える。
【００４１】
カッティング装置１０は、レーザ光Ｌを出射するガスレーザ装置等からなるレーザ光源１６と、レーザ光源１６から出射されたレーザ光Ｌを第１のデータ発生器１２や第２のデータ発生器１４からのデータに基づいて光ビームを変調するＡＯＭ（Acoustic Optical Modulator）やＥＯＭ（Electric Optical Modulator）等からなる光変調部１７と、光変調部１７によって変調されたレーザ光Ｌを反射するミラー１８と、ミラー１８をガラス原盤２０の半径方向に移動させる可動機構１９と、レーザ光Ｌをフォトレジスト上に集光し、ガラス原盤２０に照射する対物レンズ２１と、ガラス原盤２０を回転駆動するモータ２２と、装置１０の全体の動作を制御する制御部２３とを備える。
【００４２】
第１のサブコード発生部１１は、第１のセッション２に記録するデータの図２及び図３に示すようなサブコードデータを発生する。第１のデータ発生部１２は、入力端子１２ａに外部装置からコンテンツデータが入力されると共に、第１のサブコード発生部１１で生成したサブコードデータが入力され、これらのデータを加算し、第１のセッション２に記録すべきデータを生成する。第１のデータ発生部１２は、切換部１５を介してデータを光変調部１７に出力データを供給する。
【００４３】
第２のサブコード発生部１３は、第２のセッションに記録するデータの図４及び図５に示すようなサブコードデータを生成する。この第２のサブコード発生部１３は、第２のセッション４の最大記録可能時間より大きい、長い時間データ、即ち第１のセッション２と第２のセッション４との識別を行うための識別データとしての時間データを生成し、図４に示す第２のセッション４のリードイン領域４ａのＱチャンネルサブコードデータの時間ＨＯＵＲ、時間ＰＨＯＵＲ、図５に示すデータ領域４ｂ及びリードアウト領域４ｃの時間ＨＯＵＲ、時間ＡＨＯＵＲに関する各データ部の少なくとも何れか一に組み込む。第２のデータ発生部１４は、入力端子１４ａに外部装置からコンテンツデータが入力されると共に、第２のサブコード発生部１３で生成したサブコードデータが入力され、これらのデータを加算し、第２のセッション４に記録すべきデータを生成する。第２のデータ発生部１４は、切換部１５を介してデータを光変調部１７に出力データを供給する。
【００４４】
切換部１５は、制御部２３から供給される制御信号に従って、第１のデータ発生部１２からの出力データと第２のデータ発生部１４からの出力データとを選択的に光変調部１７に供給する。即ち、切換部１５は、第１のセッション２用のデータを記録するとき、第１のデータ発生部１２と光変調部１７とを接続し、第２のセッション４用のデータを記録するとき、第２のデータ発生部１４と光変調部１７とを接続するように制御部２３からの制御信号によって切り換えられる。例えば、対物レンズ２１によってガラス原盤２０に照射、集光されているレーザ光がガラス原盤２０上の所定の位置、例えば、第１のデータ発生部１２からの出力データによるカッティングが終了したときに、制御部２３は、切換部１５の切換子１５ａを第１のデータ発生部１２への接続端子１５ｂ側から第２のデータ発生部１４への接続端子１５ｃ側に切り換え、第２のデータ発生部１４からの出力データが光変調部１７に供給されるように切換部１５を切り換え制御する。
【００４５】
一方、ガラス原盤２０にデータを記録するとき、レーザ光源１６から出射されたレーザ光Ｌは光変調部１７に入射する。このレーザ光源１６には、アルゴンレーザ、Ｈｅ−Ｃｄレーザ等のガスレーザが用いられる。光変調器１７は、第１のデータ発生部１２又は第２のデータ発生部１４からの出力データに基づいて、レーザ光源１６から出射されたレーザ光Ｌを変調する。
【００４６】
光変調部１７で変調されたレーザ光Ｌは、ミラー１８に入射され光路が９０°折り曲げられる。ミラー１８は、レーザ光Ｌをガラス原盤２０の内外周に亘って走査することができるように、可動機構１９によりガラス原盤２０の半径方向に移動される。ミラー１８によって偏向されたレーザ光Ｌは、対物レンズ２１により回転駆動部であるモータ２２により回転されているガラス原盤２０のフォトレジスト上に集光される。このとき、対物レンズ２１は、図示しない対物レンズ駆動機構により対物レンズ２１の光軸方向に駆動変位され、フォーカス制御が行われる。かくして、ガラス原盤２０に、第１のセッション２に記録するデータと第２のセッション４に記録するデータがカッティングされ、結果として第１のセッション２と第２のセッション４に別々にアドレス情報を用いてデータを各々記録することができる。
【００４７】
なお、可動機構１９は、レーザ光によってガラス原盤２０の第１のセッション２に相当する領域のカッティング動作を行っている間は、前述したようにトラックピッチが例えば１．６μｍとなるようにミラー１８をガラス原盤２０の半径方向に移動させる。可動機構１９は、レーザ光によってガラス原盤２０の第２のセッション４に相当する領域のカッティング動作を行っている間は、第１のセッション２よりトラックピッチが狭いトラックピッチ、例えば１．１μｍとなるようにミラー１８をガラス原盤２０の半径方向に移動させる。
【００４８】
スタンパは、以上のようなカッティング装置１０によって形成されたガラス原盤２０を元にして上述したような工程に従って形成される。このスタンパの凹凸パターンは、ディスク基板の一方の面に転写され、光ディスク１は、このディスク基板の凹凸パターンが形成された面に反射膜と保護膜が積層されることにより製造される。
【００４９】
以上のようなカッティング装置１０を用いて光ディスク１を製造することによって、アドレスデータを第１のセッション２と第２のセッション４とでアドレスデータを別々に付与してデータを記録し、また、第２のセッション４のアドレスデータに、第１のセッション２と第２のセッション４とを識別するための識別データを記録した光ディスク１を製造することができる。
【００５０】
次に、本発明が適用された光ディスク１の再生装置３０について、図１１を参照して説明する。この再生装置３０は、光ディスク１に記録されたデータの読み出しを行う光ピックアップ３１と、光ピックアップ３１からの出力信号が供給されるＲＦ回路３２と、ＲＦ回路３２によって生成されたフォーカスエラー信号、トラッキングエラー信号に基づいて対物レンズのフォーカシングサーボ信号とトラッキングサーボ信号を生成するサーボ回路３３と、光ディスク１を、例えば線速度一定で回転する駆動モータ３４とを備える。
【００５１】
再生装置３０は、ＲＦ回路３２からの光ディスク１の第１のセッション２から光ピックアップ３１によって読み出された信号に基づく出力信号に復調、エラー訂正、デインターリーブ処理等のデコード処理を施す第１のデコーダ３５と、ＲＦ回路３２からの光ディスク１の第２のセッション４から光ピックアップ３１によって読み出された信号に基づく出力信号に復調、エラー訂正、デインターリーブ処理等のデコード処理を施す第２のデコーダ３６と、ＲＦ回路３２からの出力信号を選択的に第１のデコーダ３５と第２のデコーダ３６に供給する切換部３７と、ＲＦ回路３２の出力信号よりサブコードデータを抽出するサブコード抽出部３８と、装置３０の全体の動作を制御する制御部３９とを備える。
【００５２】
ＲＦ回路３２は、光ピックアップ３１に設けられている図示しない光検出器からの出力信号に基づいて、ＲＦ信号、フォーカシングエラー信号及びトラッキングエラー信号を生成する。例えばフォーカシングエラー信号は、所謂非点収差法により生成され、トラッキングエラー信号は、所謂３ビーム法やプッシュプル法により生成される。ＲＦ回路３２は、出力信号としてＲＦ信号を第１のデコーダ３５又は第２のデコーダ３６に出力し、フォーカシングエラー信号及びトラッキングエラー信号をサーボ回路３３に出力する。
【００５３】
サーボ回路３３は、光ディスク１を再生する際のサーボ信号を生成する。具体的に、サーボ回路３３は、ＲＦ回路３２から供給されるフォーカシングエラー信号に基づき、このフォーカシングエラー信号が「０」となるように、フォーカシングサーボ信号を生成し、ＲＦ回路３２から供給されるトラッキングエラー信号に基づき、このトラッキングエラー信号が「０」となるように、トラッキングサーボ信号を生成する。サーボ回路３３は、フォーカシングサーボ信号及びトラッキングサーボ信号を、光ピックアップ３１に設けられた図示しない対物レンズ駆動機構の駆動回路に出力する。この駆動回路は、フォーカシングサーボ信号及びトラッキングサーボ信号に基づいて、対物レンズを駆動する対物レンズ駆動機構を駆動制御する。即ち、対物レンズ駆動機構は、フォーカシングサーボ信号に基づく駆動回路からの駆動信号により、対物レンズを対物レンズの光軸と平行な方向、即ちフォーカシング方向に駆動変位させ、トラッキングサーボ信号に基づく駆動回路からの駆動信号により、対物レンズをその光軸に直交する平面方向、即ちトラッキング方向に対物レンズを駆動変位させる。サーボ回路３３は、ＲＦ回路３２からの出力信号に基づいて駆動モータ３４をサーボ制御するためサーボ信号を生成して駆動モータ３４に出力し、光ディスク１が例えば線速度一定で回転されるように駆動制御する。駆動モータ３４の回転軸には、ディスク回転駆動部を構成する図示しないディスクテーブルが設けられており、光ディスク１は、ディスクテーブルに載置され、ディスクテーブルとともに回転される。
【００５４】
第１のデコーダ３５は、専ら光ディスク１の第１のセッション２より読み出したデータのデコード処理を行う。具体的に、第１のデコーダ３５は、ＲＦ回路３２からのＥＦＭ変調（Eight to Fourteen Modulation）されている出力信号としてのディジタル信号を復調し、ＣＩＲＣ（Cross Interleave Reed-Solomon Code）等のエラー訂正符号に基づくエラー検出、エラー訂正処理、デインターリーブ処理等を行うデコード処理を行う。第１のデコーダ３５は、第１のセッション２に記録されているデータが音楽データであったときにはスピーカに出力する。第１のセッション２に記録されているデータがビデオデータであったときには、第１のデコーダ３５からの出力データはモニタに供給される。このように、第１のセッション２に記録されているデータの種類に基づいて第１のデコーダ３５の出力データの出力先は切り換え、又は選択される。
【００５５】
第２のデコーダ３６は、ＲＦ回路３２からのＥＦＭ変調されている第２のセッション４に記録されている出力信号としてのディジタル信号を復調し、エラー訂正符号に基づくエラー検出、エラー訂正処理やデインターリーブ処理等を行うデコード処理を行う。第２のデコーダ３６は、第２のセッション４に記録されたデータが暗号化されていることから、リードイン領域４ａに記録されている鍵データを読み出し、読み出された鍵データを用いて暗号解読する。第２のデコーダ３６は、上述した第１のデコーダ３５と同様に、第２のセッション４に記録されているデータ、即ちコンテンツデータの種類に基づいて第２のデコーダ３６の出力データの出力先を切り換え、又は選択される。
【００５６】
切換部３７は、光ディスク１の第１のセッション２の再生を行うとき、出力信号としてのＲＦ信号がＲＦ回路３２より第１のデコーダ３５に出力されるように、ＲＦ回路３２と第１のデコーダ３５とを接続し、第２のセッション４の再生を行うとき、出力信号としてのＲＦ信号がＲＦ回路３２より第２のデコーダ３６に出力されるように、ＲＦ回路３２と第２のデコーダ３６とを接続するように制御部３９からの制御信号により切り換えられる。
【００５７】
サブコード抽出部３８は、ＲＦ回路３２で生成された出力信号としてのＲＦ信号より第１や第２のセッションのサブコードデータを抽出する。サブコード抽出部３８は、サブコードデータより抽出したアドレスデータやトラック番号等を制御部３９に出力する。
【００５８】
制御部３９は、サブコード抽出部３８より供給されたアドレスデータやトラック番号等を表示部に出力し、モニタ等にこれらの情報を表示する。制御部３９は、サブコードデータのアドレスデータより、現在アクセスしているセッションが第２のセッション４であることを識別するための識別データを検出する。具体的に、制御部３９は、第１のセッション２にアクセスしているとき、即ち、光ピックアップ３１が第１のセッション２を走査しているとき、アドレスデータより識別データを検出することはない。これによって、制御部３９は、現在アクセスしているセッション、即ち、光ピックアップ３１によって走査、読み出しが行われているセッションが第１のセッション２であることを認識、識別することができる。第２のセッション４にアクセスしているとき、光ピックアップ３１によって走査、読み出しが行われているセッションが第２のセッション４であるとき、アドレスデータより最大記録可能時間より大きい時間データ、即ち識別データを検出することができるので、制御部３９は現在アクセスしているセッションが第２のセッション４であることを認識、識別する。制御部３９は、この認識、識別結果に基づいて、ＲＦ回路３２と第１又は第２のデコーダ３６とを選択的に接続するように切換部３７を切換制御する。なお、制御部３９は、前述したように、第１のセッション２のリードイン領域２ａに記録されている識別データ、即ち第２のセッション４が存在するか否かを示す識別データに基づく識別結果により、この第２のセッション４の有無を識別データによって光ディスク１が第２のセッション４を有するディスクであるときのみ切換部３７の切換制御を行う。
【００５９】
以上のような再生装置３０の再生動作について説明する。
【００６０】
例えば、光ディスク１が駆動モータ３４のディスクテーブルに装着され、利用者によって装置３０に設けられた図示しない操作部を構成する再生開始釦が押されると、制御部３９は、駆動モータ３４を光ディスク１が例えば線速度一定となるように駆動する。これと共に、光ピックアップ３１は、光ディスク１の信号記録面に光ビームを照射する。光ディスク１の信号記録面、即ち反射膜によって反射された戻りの光ビームは、光ピックアップ３１に設けられた光検出器により電気信号に変換され、光検出器によって電気信号をＲＦ回路３２に出力する。ＲＦ回路３２は、ＲＦ信号を生成し第１のデコーダ３５又は第２のデコーダ３６に出力すると共に、フォーカシングエラー信号とトラッキングエラー信号を生成しサーボ回路３３に出力する。
【００６１】
サーボ回路３３は、ＲＦ回路３２から供給されるフォーカシングエラー信号に基づき、フォーカシングサーボ信号を生成し、ＲＦ回路３２から供給されるトラッキングエラー信号に基づき、トラッキングサーボ信号を生成し、これらのサーボ信号を、光ピックアップ３１を構成する対物レンズ駆動機構の駆動回路に出力する。光ピックアップ３１に設けられた対物レンズ駆動機構を駆動し、対物レンズを光ビームの光軸方向、即ちフォーカス方向に駆動変位させることによってフォーカシング制御を行い、対物レンズを光ビームの光軸に直交する平面方向、即ちトラッキング方向に駆動変位させることによってトラッキング制御を行う。
【００６２】
サブコード抽出部３８は、ＲＦ回路３２から出力されたＲＦ信号の中からサブコードデータの抽出を行い、制御部３７に供給する。制御部３７は、供給されたサブコードデータに基づいて再生装置３０の全体の動作の制御を行う。例えば、制御部３７は、サブコードデータより第２のセッション４を示す識別データを検出したとき、切換部３７をＲＦ回路３２と第２のデコーダ３６とが接続されるように切り換え、識別データを検出できなかったとき、切換部３７をＲＦ回路３２と第１のデコーダ３５とが接続されるように切り換える。第１のデコーダ３５又は第２のデコーダ３６は、入力されたデータのデコード処理を施して出力データをスピーカやモニタに出力する。
【００６３】
以上のような再生装置３０によれば、アドレスデータが第１のセッション２と第２のセッション４とで別々、即ち異なるように付与されている光ディスク１であっても、アドレスデータの識別データを検出することによって、現在再生中のセッションが第１のセッション２であるか第２のセッション４であるかを識別することができ、各セッションのフォーマットに合ったデータの再生を行うことができる。
【００６４】
なお、光ディスク１のアドレスデータに含まれる識別データは、光ディスク１と全記録領域に第２のセッション４と同じ記録密度でデータが記録されたシングルセッションの光ディスクとの識別に用いるようにしてもよい。この場合、制御部３９は、識別データを検出したとき、光ディスク１に応じた処理、即ち第２のセッション４と同じデコード処理を行う。
【００６５】
光ディスク１のアドレスデータに含まれる識別データは、光ディスク１とコンパクトディスクとの識別に用いるようにしてもよい。この場合、制御部３９は、識別データを検出したとき、デコーダを第２のデコーダ３６を用いるように切換部３７を切換制御する他、光ディスク１に応じた処理を行う。一方、識別データを検出しなかったとき、又は検出できなかったとき、デコーダを第１のデコーダ３５を用いるように切換部３７を切換制御する他、コンパクトディスクに応じた処理を行う。
【００６６】
なお、光ディスク１の第１のセッション２に用いるフォーマットとしては、ＣＤ−ＤＡ（Compact Disc Digital Audio）、ＣＤ−ＲＯＭ（Compact Disc Read Only Memory）、ＤＶＤ（Digital Versatile Disc）に基づくものやこれ以外のものであってもよい。また、この光ディスク１は、再生専用の光ディスクではなく、ＣＤ−Ｒ（Compact Disc Recordable）ディスク、ＣＤ−ＲＷ（Compact Disc Rewritable）ディスク等の記録可能な光ディスクであってもよい。
【００６７】
産業上の利用可能性
本発明は、アドレス情報を、内周側のセッションと外周側のセッションとで独立に付与するようにすることでオーサリングを容易に行うことができ、アドレスデータに識別データを付加することで、再生中のセッションが内周側のセッションであるか外周側のセッションであるかを再生装置が識別することができる。
【図面の簡単な説明】
【図１】  図１は、本発明が適用された光ディスクの一部を示す平面図である。
【図２】  図２は、内周側のセッションのリードイン領域に記録されるＱチャンネルのサブコード（ＴＯＣ）のデータ構造を説明する図である。
【図３】  図３は、内周側のセッションのデータ領域及びリードアウト領域に記録されるＱチャンネルのサブコードのデータ構造を説明する図である。
【図４】  図４は、外周側のセッションのリードイン領域に記録されるＱチャンネルのサブコード（ＴＯＣ）のデータ構造を説明する図である。
【図５】  図５は、外周側のセッションのデータ領域及びリードアウト領域に記録されるＱチャンネルのサブコードのデータ構造を説明する図である。
【図６】  図６は、コンパクトディスクのアドレス情報を説明する図である。
【図７】  図７は、全記録領域に倍密でデータが記録されたシングルセッションの光ディスクのアドレス情報を説明する図である。
【図８】  図８は、本発明が適用された光ディスクのアドレス情報を説明する図である。
【図９】  図９は、識別データを説明する図である。
【図１０】  図１０は、カッティング装置を説明するブロック図である。
【図１１】  図１１は、再生装置を説明するブロック図である。
【図１】
0004206758.tif 000002
【図２】
0004206758.tif 000003
【図３】
0004206758.tif 000004
【図４】
0004206758.tif 000005
【図５】
0004206758.tif 000006
【図６】
0004206758.tif 000007
【図７】
0004206758.tif 000008
【図８】
0004206758.tif 000009
【図９】
0004206758.tif 000010
【図１０】
0004206758.tif 000011
【図１１】
0004206758.tif 000012